(57)【要約】【課題】安全で、且つ、制菌・抗菌性、防カビ性、防臭性、防虫性等に優れた安価な制菌・抗菌容器を提供する。【解決手段】容器１の少なくとも内面に、ヒノキ科からの抽出物と澱粉とからなる制菌・抗菌層４を形成したことを特徴とする制菌・抗菌容器である。【選択図】図１
0003117545.tif 000002
【実用新案登録請求の範囲】
【請求項１】
容器の少なくとも内面に、ヒノキ科からの抽出物と澱粉とからなる制菌・抗菌層を形成したことを特徴とする制菌・抗菌容器。
【請求項２】
ヒノキ科からの抽出物と澱粉とからなる溶液又は分散液を塗工してなることを特徴とする請求項１記載の制菌・抗菌容器。
【請求項３】
ヒノキ科からの抽出物がヒノキチオールを主成分とするものであることを特徴とする請求項１又は２記載の制菌・抗菌容器。
【請求項４】
容器が段ボール箱であることを特徴とする請求項１〜３のいずれか１項に記載の制菌・抗菌容器。
【請求項５】
段ボール箱が、片面及び／又は両面が樹脂フィルムによりラミネートされたものであり、前記樹脂フィルムに抽出物と澱粉とが練り込まれることにより制菌・抗菌層が形成されていることを特徴とする請求項４記載の制菌・抗菌容器。
【考案の詳細な説明】
【技術分野】
【０００１】
本考案は制菌・抗菌容器に関し、更に詳しくは、安全で、且つ、制菌・抗菌性、防カビ性、防臭性、防虫性等に優れた安価な制菌・抗菌容器に関する。
【背景技術】
【０００２】
従来、この種の容器にあっては、抗菌防虫成分としてのヒノキチオールと、ゲンノショウコ、ササ、ヨモギ等からの植物抽出消臭抗菌成分とからなる有機質抗菌防虫消臭剤Ａと、金属イオンを担体としたゼオライトまたはシリカである有機質抗菌剤Ｂとからなる抗菌防虫消臭薬剤Ｃを、ケースの内側及び／又は外側に散布又は塗布して抗菌防虫消臭薬剤層を設けたことを特徴とする抗菌防虫消臭収納ケースが提案されている（例えば、特許文献１参照）。
【０００３】
また、食品を輸送するときに該食品を収容する食品用容器において、パルプを、抗菌性を有する木材片と共にモウルドし、容器状に形成してなる食品容器が提案されている（例えば、特許文献２参照）。
【特許文献１】特開平１０−１８１７７６号公報
【特許文献２】特開２０００−８５７４１号公報
【考案の開示】
【考案が解決しようとする課題】
【０００４】
しかしながら、上記ケースは極めて複雑な抗菌防虫消臭薬剤を用いており、また、上記食品容器は、複雑なモウルドを採用しているため、いきおい高価となるのを避けられない。このような抗菌性のケースや容器は、通常、１回使用の使い捨ての場合も多く、従って、このように高価なケースや容器では、使い捨ての用途には不適当である。また、使用する薬剤にあっては、安全性に対する懸念がある。
【０００５】
本考案はかかる実情に鑑み、上記問題点を解消し、安全で、制菌・抗菌性、防カビ性、防臭性、防虫性等に優れた安価な制菌・抗菌容器を提供するものである。
【課題を解決するための手段】
【０００６】
上記目的を達成するための本考案の請求項１は、容器の少なくとも内面に、ヒノキ科からの抽出物と澱粉とからなる制菌・抗菌層を形成したことを特徴とする制菌・抗菌容器を内容とする。
【０００７】
本考案の請求項２は、ヒノキ科からの抽出物と澱粉とからなる溶液又は分散液を塗工してなることを特徴とする請求項１記載の制菌・抗菌容器を内容とする。
【０００８】
本考案の請求項３は、ヒノキ科からの抽出物がヒノキチオールを主成分とするものであることを特徴とする請求項１又は２記載の制菌・抗菌容器を内容とする。
【０００９】
本考案の請求項４は、容器が段ボール箱であることを特徴とする請求項１〜３のいずれか１項に記載の制菌・抗菌容器を内容とする。
【００１０】
本考案の請求項５は、段ボール箱が片面及び／又は両面が樹脂フィルムによりラミネートされたものであり、前記樹脂フィルムに抽出物と澱粉とが練り込まれることにより制菌・抗菌層が形成されていることを特徴とする請求項４記載の制菌・抗菌容器を内容とする。
【考案の効果】
【００１１】
本考案の制菌・抗菌容器は、容器の少なくとも内面に、ヒノキ科からの抽出物と澱粉とからなる制菌・抗菌層を形成してなるので、安全で、且つ制菌・抗菌性、防カビ性、防臭性、防虫性等に優れた安価な制菌・抗菌容器を提供することができる。
【００１２】
制菌・抗菌層の形成は、ヒノキ科からの抽出物と澱粉とからなる水溶液を塗工し乾燥することにより容易に形成することができる。
【００１３】
容器は、段ボール箱が安価で軽量である点で好ましい。段ボール箱が片面及び／又は両面に樹脂フィルムをラミネートしたものである場合は、該樹脂にヒノキ科からの抽出物と澱粉とを練り込んでフィルムラミネートして制菌・抗菌層を形成することが生産性の面で好ましい。
【考案を実施するための最良の形態】
【００１４】
本考案における容器は、紙、布、段ボール紙、樹脂等からなる袋、箱等が含まれるが、特に、安価で軽量性に富む点で、段ボール箱が好ましい。
【００１５】
容器の少なくとも内面に、制菌・抗菌層が形成されるが、必要に応じ、外面にも形成される。
制菌・抗菌層は、ヒノキ科からの抽出物と澱粉とから構成される。
ヒノキ科からの抽出物としては、青森ヒバ、台湾ヒノキ、アスナロ等のヒノキ科の木から抽出されたヒノキチオールを主成分とするものが好適に用いられる。例えば、青森ヒバ油の組成を示せば表１のとおりである。
【００１６】
【表１】
0003117545.tif 000003
【００１７】
ヒノキチオールは下記の如き構造式で表される天然トロポロンで、無色、リョウ柱状晶で、融点５１〜５２℃で、溶解度は水２５℃、１．２ｇ/Lである。また、有機溶剤に易溶である。食品添加物の保存剤としても認可されており、安全性も確認されている。また近時、アトピー症に対しても、効果があることが報告されている。
【００１８】
【化１】
0003117545.tif 000004
【００１９】
本考案に用いられる澱粉は親油性及び親水性を有するため、恰も界面活性剤の如き役割を果たし、油性のヒノキ科からの抽出物を水中に均一に溶解又は分解される。溶媒としては、水の他、エタノール、エーテル等の有機溶剤も使用可能である。
【００２０】
ヒノキ科からの抽出物は、澱粉に対して０．０１〜３０重量％の割合で使用される。０．０１重量％未満では制菌・抗菌性が不十分となる傾向があり、一方、３０重量％を越えても、制菌・抗菌性は殆ど変わらず、却って不経済となる。
【００２１】
ヒノキ科からの抽出物と澱粉とを含有する溶液又は分散液は、そのままスプレー法、浸漬法、刷毛塗り法等により塗工してもよいが、噴霧乾燥等により粒状物とすることもできる。また、粒状物は使用に際して、水等に溶解又は分散させて塗工してもよいし、ポリビニルアルコール等の水溶性樹脂溶液等に添加分散させて塗工することもできる。
【００２２】
また、容器が片面及び／又は両面がポリエチレン等の樹脂フィルムによりラミネートされた段ボール箱である場合は、該樹脂にヒノキ科からの抽出物と澱粉、好ましくは上記粒状物を練り込んだフィルムラミネートして制菌・抗菌層とすることもできる。勿論、練り込む代わりに、フィルムラミネートの表面に、抽出物と澱粉との溶液又は分散液を塗工することも可能である。しかし、生産性、及び例えば収納物と接触した際においても抽出物が剥離しない点で、前者の練り込みの方が好ましい。必要に応じ、練り込みと塗工とを併用することも可能である。
【００２３】
制菌・抗菌層は、ヒノキ科からの抽出物１００％で容器の面積１ｍ2 当たり０．００３〜１ｇ程度が好ましい。０．００３ｇ未満では制菌・抗菌性が不十分となる傾向があり、一方、１ｇを越えても制菌・抗菌性は殆ど変わらず、却って不経済となる。
【００２４】
本考案の制菌・抗菌容器は、介護用品、病院の器具、各種リサイクル品等を収納する容器の他、純植物性の抽出物で極めて安全性に富むため、食器や食品用の容器等としても有用である。
【実施例】
【００２５】
以下、実施例を示す図面に基づいて本考案を更に詳細に説明するが、本考案はかかる実施例のみに制限されるものではない。
【００２６】
実施例１
本実施例の制菌・抗菌容器は、図１に示すように、段ボール箱１の内面に、ヒノキチオール１００ミリリットルと澱粉１ｋｇとを水１０リットル中に分散、溶解させた溶液を用い、段ボール紙１ｍ2 当たりヒノキチオールが０．０３ｇになるようにスプレーにより塗工した後乾燥し、制菌・抗菌層４を形成した。図中、２、３は蓋板である。
【００２７】
実施例２
本実施例の制菌・抗菌容器は、図２に示すように、実施例１で用いたヒノキチオールと澱粉の溶液を噴霧乾燥して得られた粒状物をポリエチレン中に混練した樹脂組成物を用いて、段ボール箱の内面にラミネートし、制菌・抗菌層４を含有するフィルムラミネート層５を形成した。ヒノキチオールの量は、段ボール１ｍ2 当たり０．０５ｇであった。
【００２８】
実施例１で得られた制菌・抗菌容器の抗菌性を、ＪＩＳ  Ｌ１９０２菌液吸収法（供試菌：MRSA: Methicillin resistant Staphylococcus aureus 11D 1677) により評価した。結果を表２に示す。
【００２９】
【表２】
0003117545.tif 000005
【産業上の利用可能性】
【００３０】
叙上のとおり、本考案の制菌・抗菌容器は、容器の少なくとも内面に、ヒノキ科からの抽出物と澱粉とからなる制菌・抗菌層を形成してなるので、安全で、且つ制菌・抗菌性、防カビ性、防臭性、防虫性等に優れた安価な制菌・抗菌容器を提供することができる。
【００３１】
本考案の制菌・抗菌容器は、介護用品、病院の器具、各種リサイクル品等を収納する容器の他、純植物性の抽出物で極めて安全性に富むため、食器や食品用の容器等としても有用である。
【図面の簡単な説明】
【００３２】
【図１】本考案の実施例を示す断面図である。
【図２】本考案の他の実施例を示す断面図である。
【符号の説明】
【００３３】
１  容器（段ボール箱）
２、３  蓋板
４  制菌・抗菌層
５  フィルムラミネート層
【図１】
0003117545.tif 000006
【図２】
0003117545.tif 000007